(57)【要約】【課題】表示部を備えたカメラにおいて、全体画像と拡大画像の両方を見やすく表示できるカメラを提供する。【解決手段】電子カメラに備えられた上部表示部と背面表示部は、同時に視認可能な略平行な状態に配置可能である。電子カメラのコンピューターは、静止画の再生操作があると（Ｓ１０で肯定判定）、背面表示部に静止画（全体画像）を再生表示する（Ｓ２０）。次に拡大設定ありか否かを判断し（Ｓ３０）、拡大設定なしの場合、上部表示部に撮影条件情報を表示する（Ｓ４０）。一方、拡大設定ありの場合、背面表示部の静止画に拡大表示領域を重畳表示するとともに、上部表示部に拡大表示領域を拡大した拡大画像を表示する（Ｓ５０）。このように拡大設定ありの場合、静止画の再生を開始すると、全体画像と、そのうちの一部領域の拡大画像とが、別々の表示部にそれぞれ表示される。【選択図】図１３
2010192999.tif 000002
【特許請求の範囲】
【請求項１】
第１表示部と第２表示部とを備えたカメラであって、
前記第１表示部と前記第２表示部との表示内容を制御する表示制御手段と、
前記第１表示部に表示される全体画像中の一部領域を拡大した拡大画像を生成する拡大画像生成手段とを備え、
前記表示制御手段が、前記第２表示部に前記拡大画像を表示させることにより、当該第２表示部が拡大表示専用になることを特徴とするカメラ。
【請求項２】
請求項１に記載のカメラにおいて、
静止画を再生するために操作される再生操作部を備え、
前記表示制御手段は、前記再生操作部が操作されたことを検知すると、前記第１表示部に静止画を再生表示させるとともに、前記第２表示部に前記静止画の一部領域を拡大した拡大画像を表示させることを特徴とするカメラ。
【請求項３】
請求項１又は２に記載のカメラにおいて、
ライブビュー表示又は動画撮影を開始させる開始操作部を備え、
前記表示制御手段は、前記開始操作部が操作されたことを検知すると、前記第１表示部にライブビュー画像又は動画撮影画像の表示を開始させるとともに、前記第２表示部に前記ライブビュー画像又は動画撮影画像の一部領域を拡大した拡大画像を表示させることを特徴とするカメラ。
【請求項４】
請求項１乃至３のうちいずれか一項に記載のカメラにおいて、
被写体画像中の人物の顔を検出する顔検出手段を備え、
前記表示制御手段は、ライブビュー表示中又は動画撮影中に、前記第１表示部に前記被写体画像としてライブビュー画像又は動画撮影画像を表示するように構成され、
前記ライブビュー表示中又は動画撮影中に、前記顔検出手段が前記ライブビュー画像又は動画撮影画像中に人物の顔を検出すると、前記拡大画像生成手段が、検出された顔を含む一部領域を拡大した拡大画像を生成し、当該生成した拡大画像を前記表示制御手段が前記第２表示部に表示させることを特徴とするカメラ。
【請求項５】
請求項１乃至４のうちいずれか一項に記載のカメラにおいて、
被写体画像中の人物の顔を検出する顔検出手段を備え、
前記表示制御手段は、ライブビュー表示中又は動画撮影中に、前記第１表示部に前記被写体画像としてライブビュー画像又は動画撮影画像を表示するように構成され、
前記ライブビュー表示中又は動画撮影中に、前記顔検出手段が、ライブビュー画像又は動画撮影画像中に人物の顔を複数検出すると、前記拡大画像生成手段が、検出された複数の顔のうち一つの顔を含む一部領域を拡大した拡大画像を生成し、当該生成した拡大画像を前記表示制御手段が前記第２表示部に表示させることを特徴とするカメラ。
【請求項６】
請求項５に記載のカメラにおいて、
前記顔検出手段により検出された複数の顔のうち一つを選択するための選択操作手段を備え、
前記選択操作手段の操作による顔の選択の変更を受け付けると、前記拡大画像生成手段が変更先の顔を含む一部領域を拡大した拡大画像を生成し、生成した当該拡大画像を前記表示制御手段が前記第２表示部に表示させることを特徴とするカメラ。
【請求項７】
請求項１乃至６のうちいずれか一項に記載のカメラにおいて、
前記第１表示部と前記第２表示部は、カメラの撮影条件情報を表示するためにカメラ本体の上面に設けられた上部表示部と、ライブビュー画像及び撮影画像を含む画像を表示するためにカメラ本体の背面に設けられた背面表示部とからなり、
前記上部表示部と前記背面表示部のうち少なくとも一方が、当該両表示部を同じ視線方向から視認可能な向きに配置しうるように姿勢変更可能に構成されていることを特徴とするカメラ。
【請求項８】
請求項７に記載のカメラにおいて、
前記第１表示部が前記背面表示部であり、前記第２表示部が上部表示部であって、
前記表示制御手段は、前記全体画像を前記背面表示部に表示し、前記拡大画像を前記上部表示部に表示することを特徴とするカメラ。
【発明の詳細な説明】
【技術分野】
【０００１】
本発明は、複数の表示部を備えたカメラに関する。
【背景技術】
【０００２】
従来、電子カメラ（デジタルカメラ）には、液晶表示装置が設けられている（例えば特許文献１、２）。例えば特許文献１、２には、電子カメラの液晶表示部に表示された被写体画像中の顔を検出して、その顔を含む領域を拡大表示させる技術が開示されている。例えば特許文献１に開示されたデジタルスチルカメラでは、表示部の画面に拡大画像が表示されるととともに、その拡大画像の一部領域に全体画像が重畳表示される構成となっていた。また、特許文献２に開示されたデジタルスチルカメラは、表示部の画面に表示された全体画像の一部領域に拡大画像が重畳表示される構成となっていた。
【先行技術文献】
【特許文献】
【０００３】
【特許文献１】特開２００７−２００２９号公報
【特許文献２】特開２００５−３２３０１５号公報
【発明の概要】
【発明が解決しようとする課題】
【０００４】
ところで、特許文献１に記載のデジタルスチルカメラでは、拡大画像のうち重畳表示された全体画像で隠れた一部領域を見ることができなかった。また、特許文献２に記載のデジタルスチルカメラでは、全体画像のうち重畳表示された拡大画像で隠れた一部領域を見ることができなかった。その結果、表示部に表示された全体画像と拡大画像のうち見える部分だけを頼りにして、構図の確認やピント確認などの撮影に必要な確認をしなければならず、適切な確認がしづらいという問題があった。
【０００５】
本発明は前記の問題点に解決するためになされたものであって、その目的は、表示部を備えたカメラにおいて、全体画像と拡大画像の両方を見やすく表示できるカメラを提供することにある。
【課題を解決するための手段】
【０００６】
上記目的を達成するために、本発明は、第１表示部と第２表示部とを備えたカメラであって、前記第１表示部と前記第２表示部との表示内容を制御する表示制御手段と、前記第１表示部に表示される全体画像中の一部領域を拡大した拡大画像を生成する拡大画像生成手段とを備え、前記表示制御手段が、前記第２表示部に前記拡大画像を表示させることにより、当該第２表示部が拡大表示専用になることを要旨とする。
【０００７】
この発明によれば、カメラに備えられた第１表示部に全体画像が表示され、その全体画像の一部領域を拡大した拡大画像が第２表示部に表示される。よって、全体画像と拡大画像の両方を見やすく表示できる。
【０００８】
また、本発明のカメラでは、静止画を再生するために操作される再生操作部を備え、前記表示制御手段は、前記再生操作部が操作されたことを検知すると、前記第１表示部に静止画を再生表示させるとともに、前記第２表示部に前記静止画の一部領域を拡大した拡大画像を表示させることが好ましい。
【０００９】
この発明によれば、再生操作部が操作されると、第１表示部に静止画像が再生表示され、かつ第２表示部に静止画像の一部領域を拡大した拡大画像が表示される。よって、静止画像と拡大画像の両方を見やすく表示できる。
【００１０】
また、本発明のカメラでは、ライブビュー表示又は動画撮影を開始させる開始操作部を備え、前記表示制御手段は、前記開始操作部が操作されたことを検知すると、前記第１表示部にライブビュー画像又は動画撮影画像の表示を開始させるとともに、前記第２表示部に前記ライブビュー画像又は動画撮影画像の一部領域を拡大した拡大画像を表示させることが好ましい。
【００１１】
この発明によれば、開始操作部が操作されると、第１表示部にライブビュー画像又は動画撮影画像が表示され、かつ第２表示部にライブビュー画像又は動画撮影画像の一部領域を拡大した拡大画像が表示される。よって、ライブビュー画像又は動画撮影画像と、拡大画像との両方を見やすく表示できる。
【００１２】
また、本発明のカメラでは、被写体画像中の人物の顔を検出する顔検出手段を備え、前記表示制御手段は、ライブビュー表示中又は動画撮影中に、前記第１表示部に前記被写体画像としてライブビュー画像又は動画撮影画像を表示するように構成され、前記ライブビュー表示中又は動画撮影中に、前記顔検出手段が前記ライブビュー画像又は動画撮影画像中に人物の顔を検出すると、前記拡大画像生成手段が、検出された顔を含む一部領域を拡大した拡大画像を生成し、当該生成した拡大画像を前記表示制御手段が前記第２表示部に表示させることが望ましい。
【００１３】
この発明によれば、ライブビュー表示中又は動画撮影中に、第１表示部にライブビュー画像又は動画撮影画像が表示される。このライブビュー画像又は動画撮影画像中に人物の顔が検出されると、検出された顔を含む一部領域を拡大した拡大画像が、第２表示部に表示される。よって、ライブビュー画像又は動画撮影画像と、顔を含む拡大画像との両方を見やすく表示できる。
【００１４】
また、本発明のカメラでは、被写体画像中の人物の顔を検出する顔検出手段を備え、前記表示制御手段は、ライブビュー表示中又は動画撮影中に、前記第１表示部に前記被写体画像としてライブビュー画像又は動画撮影画像を表示するように構成され、前記ライブビュー表示中又は動画撮影中に、前記顔検出手段が、ライブビュー画像又は動画撮影画像中に人物の顔を複数検出すると、前記拡大画像生成手段が、検出された複数の顔のうち一つの顔を含む一部領域を拡大した拡大画像を生成し、当該生成した拡大画像を前記表示制御手段が前記第２表示部に表示させることが望ましい。
【００１５】
この発明によれば、ライブビュー表示中又は動画撮影中に、第１表示部にライブビュー画像又は動画撮影画像が表示される。このライブビュー画像又は動画撮影画像中に人物の顔が複数検出されると、検出された複数の顔のうち一つの顔を含む一部領域を拡大した拡大画像が、第２表示部に表示される。よって、ライブビュー画像又は動画撮影画像と、その画像中の複数の顔のうち一つの顔を含む拡大画像との両方を見やすく表示できる。
【００１６】
さらに、本発明のカメラでは、前記顔検出手段により検出された複数の顔のうち一つを選択するための選択操作手段を備え、前記選択操作手段の操作による顔の選択の変更を受け付けると、前記拡大画像生成手段が変更先の顔を含む一部領域を拡大した拡大画像を生成し、生成した当該拡大画像を前記表示制御手段が前記第２表示部に表示させることが好ましい。
【００１７】
この発明によれば、選択操作手段の操作で複数の顔のうち一つを選択し、顔の選択を変更すると、その変更を受け付けた拡大画像生成手段が、変更先の顔を含む一部領域を拡大した拡大画像を生成する。そして、表示制御手段がその生成された拡大画像を第２表示部に表示する。よって、ユーザーは、選択操作手段を操作して顔の選択を変更することで、第２表示部に拡大画像で表示される顔を、その選択した顔に切り替えることができる。
【００１８】
また、本発明のカメラでは、前記第１表示部と前記第２表示部は、カメラの撮影条件情報を表示するためにカメラ本体の上面に設けられた上部表示部と、ライブビュー画像及び撮影画像を含む画像を表示するためにカメラ本体の背面に設けられた背面表示部とからなり、前記上部表示部と前記背面表示部のうち少なくとも一方が、当該両表示部を同じ視線方向から視認可能な向きに配置しうるように姿勢変更可能に構成されていることが好ましい。
【００１９】
この発明によれば、上部表示部と背面表示部のうち少なくとも一方の姿勢を変更することで、両表示部が同じ視線方向から視認可能な向きに配置されるので、両表示部にそれぞれ表示された全体画像と拡大画像の両方を見ながら、撮影（静止画撮影や動作撮影など）や撮影後における撮影画像の確認などを行うことができる。
【００２０】
さらに、本発明のカメラでは、前記第１表示部が前記背面表示部であり、前記第２表示部が上部表示部であって、前記表示制御部は、前記全体画像を前記背面表示部に表示し、前記拡大画像を前記上部表示部に表示することが好ましい。
【００２１】
この発明によれば、撮影条件情報を表示するため比較的画面の小さな上部表示部に拡大画像が表示され、比較的画面の大きな背面表示部に全体画像が表示される。よって、背面表示部で比較的大きな画面サイズで全体画像を見ながら、上部表示部の拡大画像を見てピント確認やピント調整を行うことができる。
【図面の簡単な説明】
【００２２】
【図１】２つの表示部が略平行な位置関係にあるときの電子カメラの斜視図。
【図２】２つの表示部が図１とは異なる略平行な位置関係にあるときの電子カメラの斜視図。
【図３】電子カメラの電気的構成を示すブロック図。
【図４】電子カメラの模式側断面図。
【図５】拡大設定なしで静止画再生中における２つの表示部の表示内容を示す画面正面図。
【図６】拡大設定ありで静止画再生中における２つの表示部の表示内容を示す画面正面図。
【図７】拡大設定ありでライブビュー中における２つの表示部の表示内容を示す画面正面図。
【図８】拡大設定ありで動画撮影中における２つの表示部の表示内容を示す画面正面図。
【図９】顔検出モードでライブビュー中における２つの表示部の表示内容を示す画面正面図。
【図１０】顔検出モードで動画撮影中における２つの表示部の表示内容を示す画面正面図。
【図１１】顔検出モードでライブビュー中における２つの表示部の表示内容を示す画面正面図。
【図１２】顔検出モードで動画撮影中における２つの表示部の表示内容を示す画面正面図。
【図１３】静止画再生処理ルーチンを示すフローチャート。
【図１４】ライブビュー処理ルーチンを示すフローチャート。
【図１５】動画撮影処理ルーチンを示すフローチャート。
【図１６】ライブビュー・動画撮影処理ルーチンを示すフローチャート。
【発明を実施するための形態】
【００２３】
以下、本発明を電子カメラに具体化した一実施形態を、図１〜図１６に基づいて説明する。図１及び図２は、電子カメラを背面側から見た斜視図であり、カメラ本体に設けられた２つの表示部がそれぞれ異なる位置関係に配置された二つの例を示す。
【００２４】
図１に示すように、本実施形態の電子カメラ１１（デジタルカメラ）は、略直方体形状のカメラ本体１２とレンズユニット１３（レンズ鏡筒）（図４に示す）とを有している。電子カメラ１１は、カメラ本体１２の上面部に配置された小型な画面を有する上部液晶表示部（以下、「上部表示部１４」という）と、カメラ本体１２の背面部に配置された大型の画面を有する背面液晶表示部（以下、「背面表示部１５」という）とを備える。なお、本実施形態では、２つの表示部１４，１５のうち、大型な画面を有する方に全体画像を表示させ、小型な画面を有する方に拡大画像を表示させる構成を採用しているので、背面表示部１５が第１表示部を構成し、上部表示部１４が第２表示部を構成している。
【００２５】
上部表示部１４は、カメラ本体１２に対して背面側（図１における手前側）の所定箇所で一軸回動可能に連結され、その姿勢を前後に傾動させることで、図２に示す収納状態と図１に示す起立状態とに配置可能となっている。一方、背面表示部１５はその下端中央部でカメラ本体１２に対して二軸回動可能に連結されている。すなわち、背面表示部１５の連結部は、カメラ本体１２の底面と平行な水平回動軸１２ａと、その水平回動軸１２ａと直交する垂直回動軸１２ｂとを有している。そして、背面表示部１５は、電子カメラ１１を水平に配置した状態の下で、水平回動軸１２ａを中心とする約１８０度の上下の傾動と、垂直回動軸１２ｂを中心とする約３６０度の回動とが可能となっている。
【００２６】
図１では、上部表示部１４が画面を手前側（背面側）に向けた起立状態にあり、背面表示部１５は画面１５ａを背面側に向けた収納状態にある。この状態では、両表示部１４，１５の画面１４ａ，１５ａが同じ側を向いた略平行な位置関係となり、ユーザーは、電子カメラ１１を背面側から覗く視線方向をとることで、両表示部１４，１５の画面１４ａ，１５ａを同時に視認可能となる。
【００２７】
また、図２では、背面表示部１５を収納状態から水平回動軸１２ａを中心に約９０度下側へ傾動し、かつ垂直回動軸１２ｂを中心に約１８０度反転させて、背面表示部１５の画面１５ａが上側を向いた状態にある。また、上部表示部１４は収納位置に配置されてその画面１４ａが上側を向いている。よって、両表示部１４，１５は共に画面１４ａ，１５ａが上側を向く略平行な状態にあるので、ユーザーは、電子カメラ１１を上方から覗き込む視線方向をとることで、両表示部１４，１５を同時に視認可能となる。
【００２８】
このように両表示部１４，１５は、図１及び図２に示したような同時に視認不能な位置関係（以下、「第１の位置関係」という）と、第１の位置関係から逸脱して各画面１４ａ，１５ａを同時に視認可能な略平行な第２の位置関係とに配置される。
【００２９】
また、カメラ本体１２の上部右側には、回動操作式の電源スイッチ１７と、電源スイッチ１７の環状部中央に配置されたレリーズボタン１８とが設けられている。また、カメラ本体１２の上部右側にはコマンドダイヤル１９が、上部左側には撮影モードダイヤル２０がそれぞれ設けられている。さらに、カメラ本体１２の上側中央部には、アップ・ダウン動作が可能な内蔵フラッシュ２１が設けられ、その近傍位置にアクセサリー用のシュー２２が設けられている。
【００３０】
また、電子カメラ１１の背面上部にはファインダー２３（ファインダー接眼窓）が設けられている。さらに背面表示部１５の右隣箇所には、ライブビューボタン２５、選択操作手段としての選択スイッチ２６（マルチセレクター）、ＯＫボタン２７（決定ボタン）及びボタンスイッチ２８が設けられている。選択スイッチ２６は、上下左右を含む多方向のうち任意の一方向を選択可能に構成されている。なお、本実施形態では、ライブビューボタン２５が、ライブビュー表示を開始させるために操作される開始操作部を構成し、ＯＫボタン２７が、動画撮影を開始させるために操作される開始操作部を構成している。
【００３１】
さらに、背面表示部１５の図１における左側箇所には、上から順番に、再生操作部としての再生ボタン３１、メニューボタン３２、ホワイトバランスボタン３３、１ＳＯ感度ボタン３４、画質モード・画像サイズボタン３５が、縦列配置されて設けられている。これらのボタン３１〜３５は、操作された際に発揮される機能はその時々のモードによって変わる。なお、本実施形態では、写真モードで操作される再生ボタン３１が、静止画を再生するために操作される再生操作部を構成している。
【００３２】
図４は、電子カメラの構成を示す模式側断面図である。図４に示すように、電子カメラ１１は、前述のカメラ本体１２とレンズユニット１３とを備える。レンズユニット１３内には、撮像レンズ群３８及び絞り３９が設けられている。撮像レンズ群３８はレンズ３８ａ〜３８ｃを含む複数のレンズより構成される。また、カメラ本体１２内には、クイックリターンミラー４０、焦点板４１、ペンタプリズム４２、接眼レンズ４３、測光センサ４４、シャッター４５、撮像素子４６及び焦点検出用センサ４７を備えている。
【００３３】
本実施形態の電子カメラ１１では、動作モードとして撮影モード及びライブビューモードが設けられている。撮影モードとしては、静止画モード及び動画モードなどが設けられている。電子カメラ１１は、静止画モードが選択された状態で、レリーズボタン１８による撮影操作が行われると、撮影コマごとにクイックリターンミラー４０のアップ・ダウン駆動を行い、静止画の撮影および記録をする。一方、動画モードの場合は、クイックリターンミラー４０を図４の破線で示すアップ位置に保持した状態で、動画を背面表示部１５に表示しながら撮影および記録を行なう。ライブビューモードは、静止画モード設定時にレリーズ前にスルー画像を動画として背面表示部１５に表示するモードである。
【００３４】
図３は、電子カメラの電気的構成を示すブロック図である。なお、図３では、コンピューター内は、コンピューターが果たす機能ブロックで示している。
図３に示すように、電子カメラ１１は、コンピューター５０（マイクロコンピュータ）、電源スイッチ１７、レリーズボタン１８、操作部５１、測光センサ４４、焦点検出用センサ４７、第１表示ドライバ５５、上部表示部１４、第２表示ドライバ５６、背面表示部１５、電源回路５７、撮像素子４６及びアナログ信号処理回路５８などを備えている。
【００３５】
詳しくは、コンピューター５０には、入力系として、電源スイッチ１７、レリーズボタン１８、操作部５１、測光センサ４４及び焦点検出用センサ４７が電気的に接続されている。また、コンピューター５０には、出力系として、第１表示ドライバ５５及び第２表示ドライバ５６が電気的に接続され、コンピューター５０は第１表示ドライバ５５を介して上部表示部１４の表示制御を行い、第２表示ドライバ５６を介して背面表示部１５の表示制御を行う。
【００３６】
また、コンピューター５０に接続された電源回路５７は、カメラ本体１２のバッテリ室に収容された電源電池５９から供給される電圧を、電子カメラ１１内の各部で必要な電圧に変換して各部に必要な電力を供給する。詳しくは、コンピューター５０は、電源スイッチ１７がオン操作されると、電源回路５７を制御して電子カメラ１１内の各部への電力供給を開始する。一方、電源スイッチ１７がオフ操作されると、コンピューター５０は電源回路５７を制御して電子カメラ１１内の各部への電力供給を停止する。また、電子カメラ１１には省電モードが設けられている。コンピューター５０は、電源オン状態の下で、何も動作されていない状態で、何も操作されないまま一定時間を経過すると省電モードに移行し、電源をオフする。
【００３７】
また、レリーズボタン１８が半押し操作されると、コンピューター５０は、焦点検出用センサ４７から入力した焦点検出信号に基づいてデフォーカス量などの焦点調節状態の演算を行う。そして、コンピューター５０は、そのデフォーカス量に基づいて図示しない合焦用モータを駆動制御して、撮像レンズ群３８のうちの可動レンズを位置制御して自動合焦制御（ＡＦ制御）を行う。また、コンピューター５０は、測光センサ４４から入力した測光信号に基づき算出された被写体の輝度及び撮像感度（ＩＳＯ感度）に基づいて、シャッター速度と絞り値とを演算する。そして、コンピューター５０は、その絞り値に基づいて図示しない絞り用モータを駆動制御することで、演算された絞り値に絞り３９の絞り込み量を調節する。さらに、レリーズボタン１８が全押し操作されると、コンピューター５０は、演算したシャッター速度に基づいて図示しないシャッター用モータを駆動制御することで、シャッター４５を駆動させる。こうして静止画像の撮影が行われると、撮像素子４６から出力される撮像信号がアナログ信号処理回路５８を介してコンピューター５０に入力される。
【００３８】
ここで、撮像素子４６は、複数の受光素子を２次元状（マトリックス状）に配列した受光面を有している。そして、撮像素子４６は、レンズユニット１３内を通過した光束を受光素子で光電変換して被写体を撮影する。この撮像素子４６の出力はアナログ信号処理回路５８に入力される。なお、本実施形態の撮像素子４６には、ＣＣＤまたはＣＭＯＳ等の公知の固体撮像素子が用いられている。
【００３９】
アナログ信号処理回路５８は、撮像素子４６の出力に対してアナログ信号処理を施すアナログフロントエンド回路からなる。このアナログ信号処理回路５８は、相関二重サンプリングや、画像信号のゲインの調整や、画像信号のＡ／Ｄ変換を行う。そして、アナログ信号処理回路５８から出力されるデジタル画像信号はコンピューター５０へ入力される。
【００４０】
なお、操作部５１は、図１で示された前述のコマンドダイヤル１９、撮影モードダイヤル２０、ライブビューボタン２５、選択スイッチ２６、ＯＫボタン２７、ボタンスイッチ２８、再生ボタン３１、メニューボタン３２及び各ボタン３３〜３５などからなる。また、本実施形態の電子カメラ１１は、ライブビュー機能、静止画再生機能、動画撮影機能、動画再生機能などを備えている。
【００４１】
図３に示すコンピューター５０は、ＣＰＵ、ＲＯＭ（例えば不揮発性メモリ（ＥＥＰＲＯＭ等）を含む）及びＲＡＭ等を備える。本実施形態では、コンピューター５０が、ＲＯＭ等に記憶された各種プログラムのうち画像表示処理用のプログラム（図１３〜図１６を参照）を実行することにより、コンピューター５０内にソフトウェアからなる各種機能部が構築される構成となっている。もちろん、図３におけるコンピューター５０内の各機能部は、ソフトウェアに限定されず、コンピューター５０の内部又は外部に設けられた電子回路等（集積回路等）のハードウェアによる構成、あるいはソフトウェアとハードウェアの協働により実現される構成でもよい。
【００４２】
次に、コンピューター５０内の機能ブロックについて説明する。図３に示すように、コンピューター５０には、制御部６１、メモリ６２、モード設定部６３、電源制御部６５、画像処理部６６、顔検出手段としての顔検出部６７、合焦制御部６８及び表示制御部６９などを備えている。制御部６１は、コンピューター５０内の各部を統括的に制御する。メモリ６２には、拡大倍率設定データを記憶するための拡大倍率記憶部６２ａと、各種フラグを記憶するためのフラグ記憶部６２ｂとが備えられている。ここで、画像中のフォーカスポイントを含む一部領域を拡大表示させたい場合、ユーザーは操作部５１を操作して背面表示部１５にメニュー画面を表示させ、メニュー画面中の拡大設定の項目で、選択スイッチ２６及びＯＫボタン２７を操作して「拡大設定あり」を選択設定する。さらに拡大設定項目の下位層である拡大倍率設定項目中の拡大倍率の候補の中から、選択スイッチ２６及びＯＫボタン２７を操作して所望の拡大倍率（拡大倍率設定データ）を設定する。制御部６１は、その設定された拡大設定あり／なしの情報（拡大設定有無情報）と、拡大倍率設定データ（設定拡大倍率）とを、メモリ６２の拡大倍率記憶部６２ａに記憶する。表示制御部６９は、拡大設定ありの場合、撮影範囲の全体画像を背面表示部１５に表示させるとともに、全体画像中の一部領域である拡大表示領域８４（例えば図６〜図１２を参照）の画像を設定拡大倍率で拡大処理して拡大画像を生成し、その生成した拡大画像を上部表示部１４に表示させる構成となっている。なお、拡大表示領域８４（画像の一部領域）は、全体画像においてその焦点を決めるフォーカスポイントの位置に配置され、設定拡大倍率で拡大すると全体画像のサイズに一致するような所定サイズかつフォーカスポイントの領域を含む画像領域として決定される。
【００４３】
モード設定部６３は、ユーザーが操作した操作部５１からの操作信号に応じたモードを設定する。本例の電子カメラ１１では、モードとして、静止画再生モード、ライブビューモード、動画撮影モード及び動画再生モードなどがある。モード設定部６３は、操作された操作部５１に対応するモードが決まると、そのモードに応じたモード設定データをメモリ６２のフラグ記憶部６２ｂに記憶する。例えばモード設定データを２ビットとすると、静止画再生モードが「００」、ライブビューモードが「０１」、動画撮影モードが「１０」、動画再生モードが「１１」で管理される。例えばライブビューボタン２５が操作された操作信号を入力すると、モード設定部６３はライブビューモードを示すモード設定データ「００」をフラグ記憶部６２ｂに書き込む。また、ライブビューモードと動画撮影モードには、被写体画像中の顔を検出する顔検出モードが用意されている。モード設定部６３は、操作部５１から操作信号に基づき顔検出モードが設定されたと判断すると、フラグ記憶部６２ｂ内の顔検出設定フラグを「１」とし、顔検出モードの設定が解除されたと判断すると、顔検出設定フラグを「０」にする。
【００４４】
また、図３に示す画像処理部６６は、アナログ信号処理回路５８から入力される１フレーム分のデジタル画像信号に対して、各種の画像処理（色補間処理、階調変換処理、輪郭強調処理、ホワイトバランス調整など）を施して、画像データを生成する。画像処理部６６が生成した画像データは、表示制御部６９及び顔検出部６７へ入力される。さらに、画像処理部６６は、撮影された本画像のデータをメモリカード（図示せず）に書き込む前にＪＰＥＧ形式に圧縮する処理や、メモリカードから読み出した圧縮された撮影画像データを画像再生時に伸長復元する処理も実行する。
【００４５】
顔検出部６７は、顔検出モードが設定されている場合に制御部６１の指示で起動され、画像処理部６６から入力したライブビュー画像又は動画像に対して顔認検出処理を施す。顔検出部６７は、顔の識別に用いる特徴量を全体画像から抽出する特徴量抽出部と、特徴量の組み合わせを用いて顔の画像と顔でない画像とを識別する識別部と、識別部が識別する際に参照する参照データとを有する。識別部は、顔であることが分かっている複数のサンプル画像と顔でないことが分かっている複数のサンプル画像とからなるサンプル画像群の学習により予め決められる顔識別条件を規定した参照データを参照することで、顔の検出処理を行う。顔検出部６７は、顔検出処理で顔を検出できたときはその顔検出情報を、合焦制御部６８及び表示制御部６９に送る。
【００４６】
また、合焦制御部６８は、レリーズボタン１８が半押し操作されると、制御部６１からの指示により、焦点検出用センサ４７から入力した焦点検出信号に基づいてデフォーカス量などの焦点調節用制御値の演算を行う。そして、合焦制御部６８は、そのデフォーカス量に基づいて図示しない合焦用モータを駆動制御することで、撮像レンズ群３８のうちの可動レンズを位置制御して自動合焦制御（ＡＦ制御）を行う。このとき、合焦制御部６８は、顔検出モードにおいて顔検出部６７が顔を検出した場合は、検出した顔をフォーカスポントとして合焦制御を行う。なお、本実施形態の電子カメラ１１では、顔検出モード以外にも、フォーカスポイントの決め方が複数種用意されている。例えば任意に選んだ一点（例えばポートレート撮影における被写体の目）に集中して焦点を合わせる合焦制御も用意されている。
【００４７】
表示制御部６９は、上部表示部１４と背面表示部１５に画像を表示するための表示制御を行う。表示制御部６９は、拡大画像などの表示に必要な画像を生成する画像生成部７１と、上部表示部１４に画像を表示させるための表示処理を行う第１表示処理部７２と、背面表示部１５に画像を表示させるための表示処理を行う第２表示処理部７３とを備えている。
【００４８】
この画像生成部７１は、拡大画像を生成する拡大画像生成部７５と、フォーカスポント枠（図示せず）や拡大表示領域８４（図６〜図１２を参照）の枠など画像上に重畳表示させるための重畳表示用の各種画像を生成する重畳表示画像生成部７６とを備えている。画像生成部７１には、画像処理部６６からのデジタル画像信号（画像データ）が図示しないバッファを介して入力される。
【００４９】
また、重畳表示画像生成部７６は、ライブビュー表示時や動画撮影時などで画像上に重畳表示させるフォーカスポイント枠（図示せず）、及び拡大表示領域８４（図６〜図１２を参照）の枠画像を生成する。重畳表示画像生成部７６は、拡大表示領域８４内の画像部分を、拡大倍率記憶部６２ａから読み込んだ設定拡大倍率で拡大したときに得られる拡大画像が、全体画像のサイズに一致しうる枠サイズ（＝全体画像サイズ／設定拡大倍率）を求め、この枠サイズとなるように拡大表示領域８４の枠画像を生成する。よって、拡大表示領域８４の枠サイズは、拡大倍率が大きいほど小さなサイズに決定される。また、重畳表示画像生成部７６は、背面表示部１５に表示される撮影条件情報８２（図９を参照）のうち全体画像に重畳表示される一部の撮影条件情報の画像も生成する。
【００５０】
拡大画像生成部７５は、拡大表示を行うときに制御部６１の指示で起動される。拡大画像生成部７５は、デジタル画像信号に基づく全体画像のうち拡大表示領域８４の画像部分を拡大処理することで、上部表示部１４に表示させるべき拡大画像データを生成する。このとき、拡大画像生成部７５は、合焦制御部６８から取得したフォーカスポイントの位置に、重畳表示画像生成部７６が求めた枠サイズ分の画像領域を拡大表示領域８４として定め、この拡大表示領域８４の画像部分を拡大処理することで拡大画像データを生成する。また、拡大画像生成部７５は、顔検出モード時には、顔検出部６７が検出した顔領域のうち選択された１つの顔領域（例えばフォーカスポイントに用いられる顔領域）の位置において、重畳表示画像生成部７６が求めた枠サイズ分の画像領域を拡大表示領域８４とし定め、この拡大表示領域８４の画像部分を拡大処理することで拡大画像データを生成する。また、複数の顔が検出されて複数の拡大表示領域８４が表示されているとき、ユーザーが選択スイッチ２６の操作で拡大表示領域８４を選択すると、拡大画像生成部７５は、その選択された拡大表示領域８４の画像部分を拡大処理することで拡大画像データを生成する。
【００５１】
第１表示処理部７２は、第１画像データ生成部７８を備える。第１画像データ生成部７８は、画像処理部６６と画像生成部７１からの画像データや、撮影条件情報などを、上部表示部１４の画面形状・画面サイズに応じた１画面にレイアウトした画像データを生成する。第１表示処理部７２は、第１画像データ生成部７８が生成した画像データに基づく画像を、第１表示ドライバ５５を介して上部表示部１４に表示させる。
【００５２】
また、第２表示処理部７３は、第２画像データ生成部７９を備える。第２画像データ生成部７９は、画像処理部６６と画像生成部７１からの画像データや、撮影条件情報などを、背面表示部１５の画面形状・画面サイズに応じた１画面にレイアウトした画像データを生成する。第２表示処理部７３は、第２画像データ生成部７９が生成した画像データに基づく画像を、第２表示ドライバ５６を介して背面表示部１５に表示させる。
【００５３】
表示制御部６９は、フラグ記憶部６２ｂから読み出した現在のモード情報及び拡大倍率記憶部６２ａから読み出した拡大設定有無情報に基づいて、現在の動作モードと、拡大設定の有無を把握する。そして、表示制御部６９は、表示部１４，１５のそれぞれの表示内容を、現在の動作モードと拡大設定の有無に応じて決定する。
【００５４】
以下、図５〜図１２を用いて、上部表示部１４と背面表示部１５との各々の表示内容について説明する。図５及び図６は、静止画再生モードにおける背面表示部１５と上部表示部１４の各表示内容を示す。ここで、図５は拡大設定なしの場合、図６は拡大設定ありの場合をそれぞれ示す。
【００５５】
図５に示すように、「拡大設定なし」の場合、背面表示部１５には、静止画８１と、撮影条件情報８２とが表示される。撮影条件情報８２は、静止画８１の下側に配置される形で、測光モードマーク、シャッター速度、絞り値（Ｆ値）、ＩＳＯ感度、記録可能コマ数などの文字情報からなる。一方、上部表示部１４には、測光モードマーク、シャッター速度、絞り値（Ｆ値）、データ種「ＲＡＷ」、ホワイトバランス、記録可能コマ数などの撮影条件情報８３が表示される。
【００５６】
図６に示すように、「拡大設定あり」の場合、背面表示部１５には、静止画８１と撮影条件情報８２が表示され、さらに静止画８１上にはフォーカスポイントを含む拡大表示領域８４が重畳表示される。一方、上部表示部１４には、拡大表示領域８４の画像部分をそのとき設定されている拡大倍率で拡大した拡大画像８５が表示される。つまり、ユーザーが操作部５１で静止画再生開始操作を行うと、背面表示部１５に静止画８１が表示されるとともに、その静止画８１上に重畳表示された拡大表示領域８４の画像部分を設定拡大倍率で拡大した拡大画像８５が上部表示部１４に表示されるようになっている。このように上部表示部１４は拡大画像表示専用になる。
【００５７】
図７は、ライブビューモードで「拡大設定あり」の場合の背面表示部１５と上部表示部１４の各表示内容を示す。図７に示すように、「拡大設定あり」の場合、背面表示部１５には、ライブビュー画像８６と撮影条件情報８２が表示され、さらにライブビュー画像８６上にはフォーカスポイントを含む拡大表示領域８４が重畳表示される。一方、上部表示部１４には、拡大表示領域８４の拡大画像８５が表示される。つまり、ユーザーが操作部５１（ライブビューボタン２５）でライブビュー表示開始操作を行うと、背面表示部１５にライブビュー画像８６が表示されるとともに、そのライブビュー画像８６上に重畳表示された拡大表示領域８４の拡大画像８７が上部表示部１４に表示されるようになっている。このように上部表示部１４は拡大画像表示専用になる。なお、「拡大設定なし」の場合は、背面表示部１５に拡大表示領域８４が無くなるだけでライブビュー画像８６及び撮影条件情報８２が同様に表示され、上部表示部１４には図５に示す撮影条件情報８３が同様に表示される。
【００５８】
図８は、動画モードで「拡大設定あり」の場合の背面表示部１５と上部表示部１４の各表示内容を示す。図８に示すように、「拡大設定あり」の場合、背面表示部１５には、動画８８と撮影条件情報８９が表示され、さらに動画８８上にはフォーカスポイントを含む拡大表示領域８４が重畳表示される。一方、上部表示部１４には、拡大表示領域８４の拡大画像９０（拡大動画）が表示される。つまり、ユーザーが操作部５１で動画表示開始操作（動画撮影開始操作又は動画再生開始操作）を行うと、背面表示部１５に動画８８が表示されるとともに、その動画８８上に重畳表示された拡大表示領域８４の拡大画像９０が上部表示部１４に表示されるようになっている。このように上部表示部１４は拡大画像表示専用になる。なお、「拡大設定なし」の場合は、背面表示部１５に拡大表示領域８４が無くなるだけで動画８８及び撮影条件情報８９が同様に表示され、上部表示部１４には図５に示す撮影条件情報８３に替わる動画用の撮影条件情報が表示される。
【００５９】
図９及び図１１は、顔検出モードが設定されているライブビューモードで「拡大設定あり」の場合の背面表示部１５と上部表示部１４の各表示内容を示す。図９及び図１１に示すように、「拡大設定あり」の場合、背面表示部１５には、ライブビュー画像８６と撮影条件情報８２が表示され、さらにライブビュー画像８６上には検出した顔領域（フォーカスポイント）を含む拡大表示領域８４が重畳表示される。一方、上部表示部１４には、拡大表示領域８４の拡大画像８５が表示される。つまり、ユーザーが操作部５１（ライブビューボタン２５）でライブビュー表示を開始する操作を行うと、背面表示部１５にライブビュー画像８６が表示されるとともに、そのライブビュー画像８６上に重畳表示された顔領域を含む拡大表示領域８４の拡大画像８７が上部表示部１４に表示されるようになっている。このように上部表示部１４は拡大画像表示専用になる。
【００６０】
図１１に示すように、被写体の人物が複数人の場合は、検出された顔領域のすべてに拡大表示領域８４が表示される。そして、複数の拡大表示領域８４のうち予め決められた所定ルールに従って選択された１つの顔領域を含む拡大表示領域８４がハイライト表示（強調表示）され、そのハイライト表示された拡大表示領域８４の拡大画像８７が上部表示部１４に表示される。ここで、所定ルールとは、例えば最も手前に位置する人物の顔（最も大きな顔）を選択するなどのルールである。なお、「拡大設定なし」の場合は、背面表示部１５に拡大表示領域８４が無くなるだけでライブビュー画像８６及び撮影条件情報８２が同様に表示され、上部表示部１４には図５に示す撮影条件情報８３が同様に表示される。
【００６１】
図１０及び図１２は、顔検出モードが設定されている動画モードで「拡大設定あり」の場合の背面表示部１５と上部表示部１４の各表示内容を示す。図１０に示すように、「拡大設定あり」の場合、背面表示部１５には、動画８８と撮影条件情報８９が表示され、さらに動画８８上には検出された顔領域（フォーカスポイント）を含む拡大表示領域８４が重畳表示される。一方、上部表示部１４には、拡大表示領域８４の拡大画像９０（拡大動画）が表示される。つまり、ユーザーが操作部５１で動画表示を開始する操作（動画撮影開始操作又は動画再生開始操作）を行うと、背面表示部１５に動画８８が表示されるとともに、その動画８８上に重畳表示された顔領域を含む拡大表示領域８４の拡大画像９０が上部表示部１４に表示されるようになっている。このように上部表示部１４は拡大画像表示専用になる。
【００６２】
図１２に示すように、被写体の人物が複数人の場合は、検出された顔領域のすべてに拡大表示領域８４が表示される。そして、複数の拡大表示領域８４のうち予め決められた所定ルールに従って選択された１つの顔領域を含む拡大表示領域８４がハイライト表示（強調表示）され、そのハイライト表示された拡大表示領域８４の拡大画像９０が上部表示部１４に表示される。なお、「拡大設定なし」の場合は、背面表示部１５に拡大表示領域８４が無くなるだけで動画８８及び撮影条件情報８９が同様に表示され、上部表示部１４には図５に示す撮影条件情報８３に替わる動画用の撮影条件情報が表示される。
【００６３】
図１１及び図１２でハイライト表示されている拡大表示領域８４は、選択スイッチ２６を操作することで、他の顔領域を含む拡大表示領域８４へ切り替えることが可能となっている。そして、ハイライト表示の拡大表示領域８４の切り替えに応じて、図１１及び図１２における上部表示部１４の拡大画像８７，９０が切り替わるようになっている。
【００６４】
次に電子カメラ１１の表示処理を説明する。まず、図１３のフローチャートを用いて静止画再生処理について、図５及び図６を参照しつつ説明する。コンピューター５０は定期的に図１３にフローチャートで示される静止画再生処理用プログラムを実行する。ユーザーが、電子カメラ１１で静止画を再生するときには、操作部５１を用いて再生すべき撮影画像（静止画像）を選択した後、再生ボタン３１を操作することで静止画再生操作を行う。このとき、選択された撮影画像データが、メモリカードからメモリ６２の所定領域（バッファメモリ）に格納される。モード設定部６３は、操作部５１からの操作信号に応じて現在のモードを逐次判断し、判断したモードに応じたモード設定データ（例えば２ビットデータ）をフラグ記憶部６２ｂに記憶する。よって、静止画再生操作が行われた場合、以後のモード設定データが静止画再生モードの値「００」をとる。
【００６５】
まず、ステップＳ１０では、制御部６１が操作部５１による静止画の再生操作があったか否かを判断する。詳しくは、表示制御部６９が、フラグ記憶部６２ｂから読み出したモード設定データに基づいて現在のモードが静止画再生モードであるか否かを判断することで、静止画の再生操作の有無を判断する。静止画の再生操作があればステップＳ２０に進み、静止画の再生操作がなければ当該ルーチンを終了する。
【００６６】
ステップＳ２０では、第２表示処理部７３が背面表示部１５に静止画を再生する。詳しくは、第２表示処理部７３が、画像処理部６６が伸張復元した画像データに基づく静止画像とその撮影時の撮影条件情報とを所定のレイアウトで画面１５ａに表示させるための画面データを生成し、生成した画面データに基づく画面画像を、第２表示ドライバ５６を介して背面表示部１５に表示させる。その結果、背面表示部１５には、図５及び図６に示す静止画８１と撮影条件情報８２とが表示される。
【００６７】
次のステップＳ３０では、表示制御部６９が拡大設定ありか否かを判断する。詳しくは、表示制御部６９が、拡大倍率記憶部６２ａから拡大設定有無情報を読み出し、拡大設定ありか否かを判断する。例えば拡大設定有無情報は「拡大設定なし」の場合に「０」、「拡大設定あり」の場合に「１」をとるフラグであり、表示制御部６９は、拡大設定フラグが「１」であるかどうかを判断する。拡大設定なし（フラグ「０」）であればステップＳ４０に進み、拡大設定あり（フラグ「１」）であればステップＳ５０に進む。
【００６８】
ステップＳ４０では、上部表示部１４に撮影条件情報を表示させる。すなわち、第１表示処理部７２が、静止画データの付加情報からその撮影時の撮影条件情報を取得して、その撮影条件情報を所定のレイアウトで画面１４ａに表示させるための画面データを生成し、生成した画面データに基づく画面画像を、第１表示ドライバ５５を介して上部表示部１４に表示させる。その結果、上部表示部１４には、図５に示す撮影条件情報８３が表示される。
【００６９】
一方、ステップＳ５０では、表示制御部６９が、背面表示部１５の静止画８１に拡大表示領域８４を重畳表示し、上部表示部１４に拡大表示領域８４の拡大画像８５を表示させる。詳しくは、まず、重畳表示画像生成部７６が拡大倍率記憶部６２ａから読み出した拡大倍率に応じた枠サイズ（静止画表示サイズ（全体画像サイズ）／拡大倍率）の枠画像を生成する。第２表示処理部７３は、静止画データに付加されたフォーカスポイントの位置情報を取得し、静止画８１におけるそのフォーカスポイントの位置にその枠画像を重畳表示させる。そして、拡大画像生成部７５が、画像処理部６６から取得した静止画データのうちの拡大表示領域８４の画像部分を取得し、その画像部分を拡大倍率記憶部６２ａから読み出した拡大倍率で拡大する拡大処理を実行することで、拡大画像データを生成する。第１表示処理部７２は、拡大画像生成部７５から取得した拡大画像データに基づく拡大画像８５を、第１表示ドライバ５５を介して上部表示部１４に表示させる。その結果、上部表示部１４には、図６に示す拡大画像８５が表示される。このように、拡大設定ありの場合、ユーザーが操作部５１を操作して静止画再生を実行すれば、背面表示部１５に静止画８１が表示されるとともに、その静止画８１中の拡大表示領域８４が設定拡大倍率で拡大された拡大画像８５が上部表示部１４に表示される。そして、上部表示部１４が拡大画像表示専用になる。
【００７０】
次に、図１４のフローチャートを用いてライブビュー処理について、図７を参照しつつ説明する。コンピューター５０は定期的に図１４にフローチャートで示されるライブビュー処理用プログラムを実行する。ユーザーが、電子カメラ１１でライブビュー表示をするときには、操作部５１（ライブビューボタン２５等）を用いてライブビュー実行操作を行う。モード設定部６３は、操作部５１からの操作信号に応じて現在のモードを逐次判断し、そのモードに応じたモード設定データ（例えば２ビットデータ）をフラグ記憶部６２ｂに記憶する。よって、ライブビュー実行操作が行われた場合、以後のモード設定データがライブビューモードの値「０１」をとる。
【００７１】
まず、ステップＳ１１０では、制御部６１が操作部５１によるライブビュー操作があったか否かを判断する。詳しくは、表示制御部６９が、フラグ記憶部６２ｂから読み出したモード設定データに基づいて現在のモードがライブビューモード（「０１」）であるか否かを判断することで、ライブビュー操作の有無を判断する。ライブビュー操作があればステップＳ１２０に進み、ライブビュー操作がなければ当該ルーチンを終了する。
【００７２】
ステップＳ１２０では、第２表示処理部７３が背面表示部１５にライブビュー画像を表示させる。詳しくは、第２表示処理部７３が、画像処理部６６からのスルー画像と、現在設定されている撮影条件情報とを所定のレイアウトで画面１５ａに表示させるための画面データを生成し、生成した画面データに基づく画面画像を、第２表示ドライバ５６を介して背面表示部１５に表示させる。その結果、背面表示部１５には、図７に示すライブビュー画像８６と撮影条件情報８２とが表示される。
【００７３】
次のステップＳ１３０では、表示制御部６９が拡大設定ありか否かを判断する。詳しくは、表示制御部６９が、拡大倍率記憶部６２ａから拡大設定フラグを読み出し、拡大設定ありか否かを判断する。拡大設定なし（フラグ「０」）であればステップＳ１４０に進み、拡大設定あり（フラグ「１」）であればステップＳ１５０に進む。
【００７４】
ステップＳ１４０では、上部表示部１４に撮影条件情報を表示させる。すなわち、第１表示処理部７２が、現在設定されている撮影条件情報をメモリ６２から取得して、その撮影条件情報を所定のレイアウトで画面１４ａに表示させるための画面データを生成し、生成した画面データに基づく画面画像を、第１表示ドライバ５５を介して上部表示部１４に表示させる。その結果、上部表示部１４には、図５に示す撮影条件情報８３が表示される。
【００７５】
一方、ステップＳ１５０では、表示制御部６９が、背面表示部１５のライブビュー画像８６に拡大表示領域８４を重畳表示し、上部表示部１４に拡大表示領域８４の拡大画像８５を表示させる。詳しくは、まず、重畳表示画像生成部７６が拡大倍率記憶部６２ａから読み出した拡大倍率に応じた枠サイズ（静止画表示サイズ（全体画像サイズ）／拡大倍率）の枠画像を生成する。これに前後して、合焦制御部６８が、ユーザーによるレリーズボタン１８の半押しで決められたフォーカスポイントに合焦させる合焦制御を行っており、その時のフォーカスポイントの位置情報を逐次メモリ６２の所定記憶領域に書き込んでいる。第２表示処理部７３は、合焦制御部６８が合焦時に用いたフォーカスポイントの位置情報をメモリ６２から取得し、ライブビュー画像８６におけるそのフォーカスポイントの位置にその枠画像を重畳表示させる。そして、拡大画像生成部７５が、画像処理部６６から取得したスルー画像のうち拡大表示領域８４に相当する画像部分を取得し、その画像部分を拡大倍率記憶部６２ａから読み出した拡大倍率で拡大する拡大処理を実行することで、拡大画像データを生成する。第１表示処理部７２は、拡大画像生成部７５から取得した拡大画像データに基づく拡大画像８７を、第１表示ドライバ５５を介して上部表示部１４に表示させる。その結果、上部表示部１４には、図７に示す拡大画像８７が表示される。このように、拡大設定ありの場合、ユーザーが操作部５１を操作してライブビュー表示を実行すれば、背面表示部１５にライブビュー画像８６が表示されるとともに、そのライブビュー画像８６中の拡大表示領域８４が設定拡大倍率で拡大された拡大画像８７が上部表示部１４に表示される。そして、上部表示部１４が拡大画像表示専用になる。
【００７６】
次に、図１５のフローチャートを用いて動画撮影処理について、図９を参照しつつ説明する。コンピューター５０は定期的に図１５にフローチャートで示される動画撮影処理用プログラムを実行する。ユーザーが、電子カメラ１１で動画撮影をするときには、操作部５１（再生ボタン３１等）を用いて動画撮影操作を行う。モード設定部６３は、操作部５１からの操作信号に応じて現在のモードを逐次判断し、そのモードに応じたモード設定データ（例えば２ビットデータ）をフラグ記憶部６２ｂに記憶する。よって、動画撮影操作が行われた場合、以後のモード設定データが動画撮影モードの値「１０」をとる。
【００７７】
まず、ステップＳ２１０では、制御部６１が操作部５１による動画撮影操作があったか否かを判断する。詳しくは、表示制御部６９が、フラグ記憶部６２ｂから読み出したモード設定データに基づいて現在のモードが動画撮影モード（「１０」）であるか否かを判断することで、動画撮影操作の有無を判断する。動画撮影操作があればステップＳ２２０に進み、動画撮影操作がなければ当該ルーチンを終了する。
【００７８】
ステップＳ２２０では、第２表示処理部７３が背面表示部１５に動画を表示させる。詳しくは、第２表示処理部７３が、画像処理部６６からのスルー画像と、現在設定されている撮影条件情報とを所定のレイアウトで１つの画面１５ａに表示させるための画面データを生成し、生成した画面データに基づく画面画像を、第２表示ドライバ５６を介して背面表示部１５に表示させる。その結果、背面表示部１５には、図８に示す動画８８と撮影条件情報８９とが表示される。
【００７９】
次のステップＳ２３０では、表示制御部６９が拡大設定ありか否かを判断する。詳しくは、表示制御部６９が、拡大倍率記憶部６２ａから拡大設定フラグを読み出し、拡大設定ありか否かを判断する。拡大設定なし（フラグ「０」）であればステップＳ２４０に進み、拡大設定あり（フラグ「１」）であればステップＳ２５０に進む。
【００８０】
ステップＳ２４０では、上部表示部１４に撮影条件情報を表示させる。すなわち、第１表示処理部７２が、現在設定されている撮影条件情報をメモリ６２から取得して、その撮影条件情報を所定のレイアウトで１つの画面１４ａに表示させるための画面データを生成し、生成した画面データに基づく画面画像を、第１表示ドライバ５５を介して上部表示部１４に表示させる。その結果、上部表示部１４には、図５に示す撮影条件情報８３が動画用に替わった撮影条件情報（図示せず）が表示される。
【００８１】
一方、ステップＳ２５０では、表示制御部６９が、背面表示部１５の動画８８に拡大表示領域８４を重畳表示し、上部表示部１４に拡大表示領域８４の拡大画像９０を表示させる。詳しくは、まず、重畳表示画像生成部７６が拡大倍率記憶部６２ａから読み出した拡大倍率に応じた枠サイズ（静止画表示サイズ（全体画像サイズ）／拡大倍率）の枠画像を生成する。これに前後して、合焦制御部６８が、動画８８中のフォーカスポイントに合焦させる合焦制御を行っており、その時のフォーカスポイントの位置情報を逐次メモリ６２の所定記憶領域に書き込んでいる。第２表示処理部７３は、合焦制御に用いられたフォーカスポイントの位置情報をメモリ６２から逐次取得し、動画８８におけるそのフォーカスポイントの位置にその枠画像を重畳表示させる。そして、拡大画像生成部７５が、画像処理部６６からのスルー画像（動画像）のうち拡大表示領域８４に相当する画像部分を取得し、その画像部分を拡大倍率記憶部６２ａから読み出した拡大倍率で拡大する拡大処理を実行することで、拡大画像データを生成する。第１表示処理部７２は、拡大画像生成部７５から取得した拡大画像データに基づく拡大画像８７を、第１表示ドライバ５５を介して上部表示部１４に表示させる。その結果、上部表示部１４には、図８に示す拡大画像９０が表示される。このように、拡大設定ありの場合、ユーザーが操作部５１を操作して動画撮影を実行すれば、背面表示部１５に動画８８が表示されるとともに、その動画８８中の拡大表示領域８４が設定拡大倍率で拡大された拡大画像９０が上部表示部１４に表示される。そして、上部表示部１４が拡大画像表示専用になる。
【００８２】
次に、図１６のフローチャートを用いてライブビュー・動画撮影処理について、図９〜図１２を参照しつつ説明する。ここで、図１６のフローチャートは、ライブビューモードと動画撮影モードのうち一方のモードが実行されたときに、コンピューター５０により、図１４又は図１５の処理と共に実行される。コンピューター５０は、フォーカスポイントの設定方法の１つとして顔検出モードが設定されているか否かの判断と、顔検出モードが設定されている場合の表示処理を、図１６に示すフローチャートに従って行う。顔検出モードが設定されていない場合、コンピューター５０は、図１４又は図１５に示すフローチャートに示す前述の処理を実行することになる。なお、図１６はライブビューモードと動画撮影モードに共通のフローチャートであるため、背面表示部１５に表示されるライブビュー画像８６及び動画８８を「全体画像」と表記している。
【００８３】
ユーザーが、電子カメラ１１でライブビュー表示をするときには、操作部５１（ライブビューボタン２５等）を用いてライブビュー実行操作を行う。また、ユーザーが、電子カメラ１１で動画撮影をするときには、操作部５１（再生ボタン３１等）を用いて動画撮影操作を行う。モード設定部６３は、操作部５１からの操作信号に応じて現在のモードを逐次判断し、そのモードに応じたモード設定データ（例えば２ビットデータ）をフラグ記憶部６２ｂに記憶する。よって、ライブビュー操作が行われた場合、以後のモード設定データがライブビューモードを示す「０１」をとり、一方、動画撮影操作が行われた場合、以後のモード設定データが動画撮影モードを示す「１０」をとる。コンピューター５０は、モード設定データを定期的に調べ、ライブビュー操作又は動画撮影操作を検出すると、図１６にフローチャートで示されるライブビュー・動画撮影処理用プログラムを実行する。
【００８４】
まず、ステップＳ３１０では、第２表示処理部７３が背面表示部１５に撮影範囲の全体画像を表示させる。詳しくは、第２表示処理部７３が、画像処理部６６からのスルー画像と、現在設定されている撮影条件情報とを所定のレイアウトで１つの画面１５ａに表示させるための画面データを生成し、生成した画面データに基づく画面画像を、第２表示ドライバ５６を介して背面表示部１５に表示させる。その結果、ライブビュー表示時には、背面表示部１５に、図９に示すライブビュー画像８６と撮影条件情報８２とが表示される。一方、動画撮影時には、背面表示部１５に、図１０に示す動画８８と撮影条件情報８９とが表示される。
【００８５】
次のステップＳ３３０では、表示制御部６９が、顔検出モードが選択されているか否かを判断する。詳しくは、表示制御部６９が、メモリ６２のフラグ記憶部６２ｂから顔検出設定フラグを読み出し、顔検出設定フラグが「１」であるか否かを判断する。顔検出設定フラグが「０」であって顔検出モードが選択されていない場合は当該ルーチンを終了し、顔検出設定フラグが「１」であって顔検出モードが選択されていればステップＳ３４０に進む。
【００８６】
ステップＳ３４０では、顔検出部６７が顔検出処理を行う。すなわち、顔検出部６７は、その特徴量抽出部が顔の識別に用いる特徴量を全体画像から抽出し、その識別部が特徴量に基づき、顔の画像と顔でない画像とを識別するための顔識別条件が既定された参照データを参照することで顔検出処理を行う。顔検出部６７は顔検出処理結果、顔を検出できたときにはその顔検出情報を、表示制御部６９及び合焦制御部６８へ送る。この顔検出情報は、検出された顔領域の全体画像における位置情報を含む。
【００８７】
次のステップＳ３５０では、表示制御部６９が、顔検出部６７からの顔検出情報の有無に基づいて、顔が検出されたか否かを判断する。顔が検出された場合はステップＳ３６０に進み、顔が検出されなかった場合は当該ルーチンを終了する。
【００８８】
ステップＳ３６０では、複数の顔が検出されたか否かを判断する。検出された顔が１つの場合はステップＳ３７０に進み、複数の顔が検出された場合はステップＳ３９０に進む。
【００８９】
ステップＳ３７０では、表示制御部６９は、背面表示部１５の全体画像において、検出された顔周辺に拡大表示領域８４を重畳表示させる。詳しくは、まず、重畳表示画像生成部７６が拡大倍率記憶部６２ａから読み出した拡大倍率に応じた枠サイズ（全体画像サイズ／拡大倍率）の枠画像を生成する。これに前後して、合焦制御部６８が、検出された顔領域をフォーカスポイントとする合焦制御を行っており、その時のフォーカスポイントの位置情報を逐次メモリ６２の所定記憶領域に書き込んでいる。第２表示処理部７３は、合焦制御部６８が合焦時に用いたフォーカスポイントの位置情報をメモリ６２から取得し、全体画像におけるフォーカスポイントの位置にその枠画像（つまり拡大表示領域８４）を重畳表示させる。
【００９０】
次のステップＳ３８０では、上部表示部１４に全体画像中の拡大表示領域８４の拡大画像を表示させる。詳しくは、拡大画像生成部７５が、画像処理部６６から取得したスルー画像のうち拡大表示領域８４に相当する画像部分を取得し、これを設定拡大倍率で拡大処理することで拡大画像データを生成する。第１表示処理部７２は、その拡大画像データに基づく拡大画像を、第１表示ドライバ５５を介して上部表示部１４に表示させる。その結果、ライブビュー表示時には、上部表示部１４に、図９に示す拡大画像８７が表示される。一方、動画撮影時には、上部表示部１４に、図１０に示す拡大画像９０が表示される。このように、ユーザーが顔検出モードを選択した後、操作部５１を操作してライブビュー表示を実行すれば、背面表示部１５にライブビュー画像８６が表示されるとともに、そのライブビュー画像８６中で検出された顔の拡大画像８７が上部表示部１４に表示される。また、ユーザーが顔検出モードを選択した後、操作部５１を操作して動画撮影を実行すれば、背面表示部１５に動画８８が表示されるとともに、その動画８８中で検出された顔の拡大画像９０が上部表示部１４に表示される。そして、ライブビュー表示時と動画撮影時のいずれの場合も、上部表示部１４が拡大画像表示専用になる。
【００９１】
一方、複数の顔が検出された場合、ステップＳ３９０において、表示制御部６９は、背面表示部１５の全体画像における検出された複数の顔周辺に拡大表示領域８４を重畳表示させる。詳しくは、まず、重畳表示画像生成部７６が拡大倍率に応じた枠サイズ（全体画像サイズ／拡大倍率）の枠画像を生成する。表示制御部６９は、顔検出部６７からの顔検出情報に基づく複数の顔検出位置に、重畳表示画像生成部７６からの枠画像（つまり拡大表示領域８４）をそれぞれ重畳表示させる。これに前後して、合焦制御部６８は、検出された顔が複数ある場合は、所定ルールで選択した１つの顔領域（例えば一番手前の顔領域）をフォーカスポントとして合焦制御を行い、その時のフォーカスポイントの位置情報をメモリ６２の所定記憶領域に書き込んでいる。第２表示処理部７３は、フォーカスポイントの位置情報をメモリ６２から取得し、複数の拡大表示領域８４のうちフォーカスポイントに対応する１つをハイライト表示させる。その結果、図１１に示すように、ライブビュー表示時には、背面表示部１５における全体画像中の顔検出された複数の顔に拡大表示領域８４がそれぞれ重畳表示され、一番手前の人物（図１１における右から３人目）の顔の拡大表示領域８４がハイライト表示される。また、図１２に示すように、動画撮影時には、背面表示部１５における全体画像中の顔検出された複数の顔に拡大表示領域８４がそれぞれ重畳表示され、一番手前の人物（図１２における右から３人目）の顔の拡大表示領域８４がハイライト表示される。
【００９２】
次のステップＳ４００では、全体画像中の複数の拡大表示領域８４のうち一つの拡大画像を上部表示部１４に表示させる。詳しくは、拡大画像生成部７５が、画像処理部６６から取得したスルー画像のうちハイライト表示された拡大表示領域８４に相当する画像部分を、拡大倍率記憶部６２ａから読み出した拡大倍率で拡大処理して、拡大画像データを生成する。第１表示処理部７２は、その拡大画像データに基づく拡大画像を、第１表示ドライバ５５を介して上部表示部１４に表示させる。その結果、図１１に示すように、ライブビュー表示時には、ライブビュー画像８６（全体画像）の中でハイライト表示された拡大表示領域８４を拡大した拡大画像８７が上部表示部１４に表示される。一方、図１２に示すように、動画撮影時には、動画８８（全体画像）の中でハイライト表示された拡大表示領域８４を拡大した拡大画像９０が上部表示部１４に表示される。そして、ライブビュー表示時と動画撮影時のいずれの場合も、上部表示部１４が拡大画像表示専用になる。
【００９３】
次のステップＳ４１０では、制御部６１が拡大表示領域８４の選択操作が行われたか否かを判断する。ここで、ユーザーは選択スイッチ２６を操作して、複数の拡大表示領域８４のうちハイライト表示される一つを切り替えることが可能となっており、そのハイライト表示の切り替えにより、上部表示部１４に表示される拡大画像の切り替えが可能となっている。本例では、選択操作が所定時間のうちに行われたか否かを判断し、所定時間のうちに拡大表示領域の選択操作が行われた場合はステップＳ４２０に進み、所定時間を経過しても拡大表示領域の選択操作が行われなければステップＳ４３０に進む。
【００９４】
ステップＳ４２０では、上部表示部１４の表示を、選択された拡大表示領域の「拡大画像」に切り替える。詳しくは、拡大画像生成部７５が、画像処理部６６から取得したスルー画像のうち、ハイライト表示の切り替え先の拡大表示領域８４に相当する画像部分を取得し、これを設定拡大倍率で拡大処理することで拡大画像データを生成する。そして、第１表示処理部７２が、その拡大画像データに基づく拡大画像を、第１表示ドライバ５５を介して上部表示部１４に表示させることにより、拡大画像の切り替えが行われる。
【００９５】
そして、ステップＳ４３０では、表示終了操作がなされたか否かを判断する。すなわち、ライブビュー終了操作あるいは動画撮影終了操作がなされたか否かを判断する。表示終了操作がなされた場合は当該ルーチンを終了し、表示終了操作がなされなければステップＳ３４０に戻る。
【００９６】
こうしてステップＳ３４０〜Ｓ４３０の処理を繰り返し実行し、複数の顔が検出されている間は、ユーザーがハイライト表示の拡大表示領域８４を切り替えるべく選択スイッチ２６を操作する度に、ステップＳ４２０において上部表示部１４の表示が、選択された拡大表示領域８４の拡大画像に切り替えられる。なお、ユーザーがハイライト表示先を一旦切り替えた後は、その切り替え先の顔の情報がメモリ６２に記憶され、その後のステップＳ４００では、メモリ６２に記憶された情報に基づく顔の拡大表示領域８４が優先的にハイライト表示されるようになっている。
【００９７】
図１１及び図１２に示すように、上部表示部１４に表示された拡大画像８７，９０には、その拡大表示された顔に対して隣の人物の顔が位置する方向を示す矢印マーク（▲マーク）が表示される。その矢印で示された方向を選択スイッチ２６の操作で選択すれば、上部表示部１４の表示を、順次隣の顔の拡大画像８７、９０に切り替えることができる。
【００９８】
こうして、ライブビューでの写真撮影時又は動画撮影時において、ユーザーは背面表示部１５の全体画像で構図を確認しつつ、上部表示部１４で人物の顔の拡大画像を見ることで一人ひとりのピントの確認をすることができる。また、全体画像に拡大画像が重畳表示されたり、１画面中に全体画像と拡大画像が別枠で表示されたりすると、全体画像の一部が拡大画像に隠れたり、全体画像と拡大画像の表示エリアが共に小さくなったりして見づらくなる。しかし、本実施形態の電子カメラ１１によれば、全体画像を大きくかつ隠れるところなくその全体を見渡すことができ、拡大画像も別画面で比較的大サイズで見ることができる。
【００９９】
以上詳述したようにこの第一実施形態によれば、以下の効果が得られる。
（１）背面表示部１５に全体画像（静止画８１、ライブビュー画像８６、動画８８）を表示し、全体画像の一部領域（拡大表示領域８４）を拡大した拡大画像８５，８７，９０を上部表示部１４に表示させる構成とした。そのため、ユーザーは背面表示部１５の全体画像で構図を確認しつつ、上部表示部１４の拡大画像でピント確認を行うことができる。また、従来のカメラでは、全体画像に拡大画像が重畳表示されたり、拡大画像に全体画像が重畳表示されたりしたため、全体画像の一部が隠れて見えなくなる問題や、拡大画像の一部が隠れて見えなくなる問題があり、さらに重畳表示される画像で隠れる部分を少なく済ませるために、重畳される画像のサイズを小さくした場合はその重畳された画像が見づらくなるという問題があった。これに対し、本実施形態の電子カメラ１１によれば、２つの表示部１４，１５の表示エリアを有効に活用して、全体画像と拡大画像を別々の表示部１４，１５に表示するので、これらの従来の問題を解消できる。よって、ユーザーが欲する構図とピントでより適切に写真撮影や動画撮影を行うことができ、しかもその撮影結果の再生による構図とピントの適切性の確認もより的確に行うことができる。
【０１００】
（２）拡大設定ありの状態で、静止画再生、ライブビュー表示、動画撮影を行う場合、その開始の操作を行えば、背面表示部１５に撮影範囲の全体画像が表示されるとともに、全体画像中の一部領域（拡大表示領域８４）の拡大画像が自動で上部表示部１４に表示される。よって、ユーザーは拡大表示を指示する操作を別途行うことなく、上部表示部１４で拡大画像８５，８７，９０を確認することができる。
【０１０１】
（３）拡大設定ありの状態で静止画の再生を行ったときには、背面表示部１５に静止画８１を表示するとともに、静止画８１中の拡大表示領域８４の拡大画像８５を上部表示部１４に表示する。よって、２つの表示部１４，１５の表示エリアを有効に活用して、静止画８１を再生させて行う構図やピントの適切性の確認がしやすい。
【０１０２】
（４）拡大設定ありの状態でライブビュー表示を行ったときには、背面表示部１５にライブビュー画像８６を表示するとともに、上部表示部１４に拡大画像８７を表示する。よって、ライブビュー画像８６の全体を見渡して構図の適切性を確認し易いうえ、フォーカスポイントを含む拡大画像８７を別画面で比較的大きく見られるので、ピントの適切性の確認がしやすい。
【０１０３】
（５）拡大設定ありの状態で動画撮影を行ったときには、背面表示部１５に動画８８を表示するとともに、上部表示部１４に拡大画像９０を表示する。よって、動画８８の全体を見渡して構図の適切性を確認し易いうえ、フォーカスポイントを含む拡大画像９０を別画面で比較的大きく見られるので、ピントの適切性の確認がしやすい。なお、動画再生開始の操作を行えば、背面表示部１５に動画８８が表示され、上部表示部１４に動画８８中の一部領域（拡大表示領域８４）の拡大画像が表示される。よって、動画再生時にも、２つの表示部１４，１５の表示エリアを有効に活用して、静止画８１を再生させて行う構図やピントの適切性の確認がしやすい。
【０１０４】
（６）顔検出モード選択状態の下で、ライブビュー表示又は動画撮影を開始させる操作を行えば、背面表示部１５に撮影範囲の全体画像が表示されるとともに、全体画像中の一部領域（拡大表示領域８４）の拡大画像が自動で上部表示部１４に表示される。よって、ユーザーは拡大表示を指示する操作を別途行うことなく、上部表示部１４で拡大画像８７，９０を確認することができる。
【０１０５】
（７）顔検出モードで複数の顔が検出された場合、上部表示部１４に表示される顔の拡大画像を、選択スイッチ２６（マルチセレクター）を操作することで切り替えることができる。よって、複数の人物を被写体として写真撮影又は動画撮影するときに、上部表示部１４で一人ひとりの拡大画像を見てピント確認を行うことができる。従って、複数の人物の顔が平均的にピントの合ったより適切な写真撮影や動画撮影を行うことができる。
【０１０６】
（８）さらに、拡大画像に撮影された人物の顔に対して隣の人物の顔の位置する方向を示すマーク（矢印マーク）が拡大画像に重畳表示されるので、背面表示部１５の全体画像をいちいち確認しなくても、選択スイッチ２６を適切な方向に選択操作できる。そのため、その選択操作により拡大画像を順番に切り替えることで、一人ひとりの顔のピントを順番に確認する操作が簡単で済む。
【０１０７】
前記実施形態は上記に限定されず、以下の態様に変更することもできる。
（変形例１）前記実施形態では、全体画像を背面表示部１５に表示させ、全体画像の一部領域を拡大した拡大画像を上部表示部１４に表示させる構成としたが、この逆でもよい。すなわち、上部表示部１４に全体画像を表示し、背面表示部１５に全体画像の一部領域を拡大した拡大画像を表示する構成とする。この場合、上部表示部１４が第１表示部を構成し、背面表示部１５が第２表示部を構成することになる。
【０１０８】
（変形例２）背面表示部１５がカメラ本体１２に対して一軸回動可能に連結された構成も採用できる。この場合、図１における電子カメラにおいて、背面表示部１５をその上端中央部にてカメラ本体１２と１本の水平回動軸で連結する構成とすればよい。この構成であれば、背面表示部１５を収納状態から上側へ約９０度傾動させれば、背面表示部１５と上部表示部１４とをそれぞれの画面１４ａ，１５ａが略平行となる位置関係に配置できる。また、上部表示部１４を二軸回動可能な状態でカメラ本体に連結した構成も採用できる。
【０１０９】
（変形例３）第１表示部と第２表示部の両方が姿勢変更可能な回動式である構成に限定されない。例えば背面表示部１５だけが回動式の構成や、上部表示部１４だけが回動式の構成も採用できる。これらの構成でも、前者の場合、図１と同様に２つの表示部１４，１５を電子カメラ１１の背面側から覗いたときに同時に視認可能な略平行の位置関係に配置でき、後者の場合、図２と同様に２つの表示部１４，１５を電子カメラ１１の上側から覗いたときに同時に視認可能な略平行の位置関係に配置できる。これらの場合でも、両表示部１４，１５を略平行となる向きに配置した状態で、ユーザーは両表示部１４，１５のそれぞれに表示された全体画像と拡大画像を、同じ向き（視線方向）から見ることができる。例えば重畳表示など何も妨げのない全体画像を見つつ、そのフォーカスポイントを含む拡大画像を見てピント確認及びピント調整を行うことができる。
【０１１０】
（変形例４）第１表示部と第２表示部が共にカメラ本体に固定された構成も採用できる。例えばカメラ本体の背面に第１の背面表示部と第２の背面表示部とを備えた電子カメラを採用できる。このように２つの表示部がカメラ本体に固定されていても、それぞれの画面が同じ方向から同時に視認可能な略平行な位置関係に配置されていれば、ユーザーは、２つの表示部に別々に表示させた全体画像と拡大画像を同じ視線方向から確認できる。
【０１１１】
（変形例５）拡大画像はフォーカスポイントを含む領域の拡大画像に限定されない。拡大設定のメニュー項目でユーザーが設定した任意の部分を拡大対象とすることもできる。例えば測光ポイントを含む領域の拡大画像を表示させる構成でもよい。
【０１１２】
（変形例６）拡大設定ありや顔検出モードの設定を予め行ってから、撮影や再生の開始操作を行う構成に限定されない。例えば撮影や再生の開始操作を行った後の撮影中や再生中に、拡大表示操作や顔検出モード選択操作を行うと、２つの表示部に全体画像と拡大画像が表示される構成も採用できる。
【０１１３】
（変形例７）第１表示部と第２表示部の配置位置は、カメラ本体１２の上面と背面の組合せや、背面と背面の組合せに限定されず、カメラ本体１２の任意の位置に設定してよい。また、表示部の個数は、第１表示部と第２表示部の２個に限定されず、第１表示部と第２表示部とを含む３個以上の複数個の表示部を備えた構成も採用できる。
【０１１４】
（変形例８）第１表示部と第２表示部のうち少なくとも一方を、モータ等のアクチュエータの動力で姿勢変更可能に駆動される構成を採用してもよい。例えばカメラには、表示部を収納状態から離れる方向へ姿勢変更させる開操作と、表示部を収納側へ姿勢変更させる閉操作との二方向の操作が可能な表示部駆動用の操作ボタンが設けられ、ユーザーが表示部駆動用の操作ボタンを押している間、表示部の姿勢角を調整できる構成が挙げられる。もちろん、ユーザーが表示部駆動用の操作ボタンを押すと、表示部が収納状態から例えば約９０度回動して、第１表示部と第２表示部が略平行とはならない第１の位置関係から略平行となる第２の位置関係に配置される構成も採用できる。
【０１１５】
（変形例９）上部表示部１４と背面表示部１５とが同時に視認可能な略平行な位置関係にあることを検出できる構成とし、略平行であるときに限り、２つの表示部１４，１５に全体画像と拡大画像とを別々の画面１４ａ，１５ａに表示させる構成も採用できる。詳しくは、上部表示部１４の回動位置（姿勢角）を検出する第１検出器と、背面表示部１５の回動位置を検出可能な第２検出器とを設ける。また、コンピューター５０は、第１及び第２検出器からの各検出信号に基づき、両表示部１４，１５が、ユーザーが同時に視認可能な略平行な位置関係にあるか否かを判定する判定手段を有する。判定手段が、両表示部１４，１５が図１及び図２に示す略平行な位置関係にあると判定した場合、表示部１４，１５に全体画像と拡大画像をそれぞれ表示させる。一方、判定手段が略平行でないと判定すれば、表示部１５に全体画像と拡大画像の両方を一方に他方を重畳させた形で表示する。この構成によれば、ユーザーが両表示部１４，１５を同時に視認可能な位置関係に配置した場合に限り、各画面１４ａ，１５ａに全体画像と拡大画像が別々に表示される。一方、ユーザーが両表示部１４，１５を略直交する位置関係に配置している場合は、背面表示部１５に全体画像と拡大画像の両方が表示され、上部表示部１４には撮影条件情報が表示されるので、そのときユーザーが見ている画面から必要な情報を得ることができる。
【０１１６】
（変形例１０）カメラは、電子カメラ（デジタルカメラ）に限定されず、フィルム式カメラでもよい。
【符号の説明】
【０１１７】
１１…カメラとしての電子カメラ、１２…カメラ本体、１７…電源スイッチ、１８…レリーズボタン、１４…第２表示部としての上部表示部、１４ａ…画面、１５…第１表示部としての背面表示部、１５ａ…画面、２５…開始操作部としてのライブビューボタン、２６…選択操作手段としての選択スイッチ、２７…開始操作部としてのＯＫボタン、３１…再生操作部としての再生ボタン、５０…コンピューター、５１…操作部、５５…第１表示ドライバ、５６…第２表示ドライバ、５７…電源回路、５８…アナログ信号処理回路、５９…電源電池、６１…制御部、６２…メモリ、６２ａ…拡大倍率記憶部、６２ｂ…フラグ記憶部、６３…モード設定部、６５…電源制御部、６６…画像処理部、６７…顔検出手段としての顔検出部、６８…合焦制御部、６９…表示制御手段を構成する表示制御部、７１…画像生成部、７２…第１表示処理部、７３…第２表示処理部、７５…拡大画像生成手段を構成する拡大画像生成部、７６…重畳表示画像生成部、７８…第１画像データ生成部、７９…第２画像データ生成部、８１…全体画像としての静止画、８２…撮影条件情報、８３…撮影条件情報、８４…一部領域としての拡大表示領域、８５…拡大画像、８６…全体画像としてのライブビュー画像、８７…拡大画像、８８…全体画像としての動画、８９…撮影条件情報、９０…拡大画像。
【図１】
2010192999.tif 000003
【図２】
2010192999.tif 000004
【図３】
2010192999.tif 000005
【図４】
2010192999.tif 000006
【図５】
2010192999.tif 000007
【図６】
2010192999.tif 000008
【図７】
2010192999.tif 000009
【図８】
2010192999.tif 000010
【図９】
2010192999.tif 000011
【図１０】
2010192999.tif 000012
【図１１】
2010192999.tif 000013
【図１２】
2010192999.tif 000014
【図１３】
2010192999.tif 000015
【図１４】
2010192999.tif 000016
【図１５】
2010192999.tif 000017
【図１６】
2010192999.tif 000018